(57)【要約】【課題】色ずれが生じ難い電気光学装置および表示装置を提供する。【解決手段】電気光学装置は、電気光学パネルと、電気光学パネルを支持するとともに電気光学パネルから発せられる熱を放散する支持部とを備えている。支持部は、接着層を介して電気光学パネルの下面に固定された複数の固定面と、各固定面の周囲に設けられた環状の溝とを有している。電気光学パネルは、例えば、反射型の電気光学素子と、電気光学素子の上面に固定された保護基板とを有している。保護基板は、電気光学素子と非対向な領域を有している。各固定面は、保護基板の下面のうち、電気光学素子と非対向な領域に、接着層を介して固定されている。【選択図】図８
2013068845.tif 000002
【特許請求の範囲】
【請求項１】
電気光学パネルと、
前記電気光学パネルを支持するとともに前記電気光学パネルから発せられる熱を放散する支持部と
を備え、
前記支持部は、
接着層を介して前記電気光学パネルの下面に固定された複数の固定面と、
各固定面の周囲に設けられた環状の溝と
を有する
電気光学装置。
【請求項２】
前記電気光学パネルは、反射型の電気光学素子と、前記電気光学素子の上面に固定された保護基板とを有し、
前記保護基板は、前記電気光学素子と非対向な領域を有し、
各固定面は、前記保護基板の下面のうち、前記電気光学素子と非対向な領域に、前記接着層を介して固定されている
請求項１に記載の電気光学装置。
【請求項３】
各固定面は、前記保護基板の下面のうち四隅から離れた位置に、前記接着層を介して固定されている
請求項２に記載の電気光学装置。
【請求項４】
各固定面は、前記電気光学パネルの最下面に、前記接着層を介して固定されている
請求項１に記載の電気光学装置。
【請求項５】
各固定面は、前記電気光学パネルの最下面のうち四隅から離れた位置に、前記接着層を介して固定されている
請求項４に記載の電気光学装置。
【請求項６】
照明光学系と、
入力された映像信号に基づいて前記照明光学系からの光を変調することにより、画像光を生成する電気光学装置と、
前記電気光学装置で生成された画像光を投射する投影光学系と
を備え、
前記電気光学装置は、
電気光学パネルと、
前記電気光学パネルを支持するとともに前記電気光学パネルから発せられる熱を放散する支持部と
を有し、
前記支持部は、
接着層を介して前記電気光学パネルの下面に固定された複数の固定面と、
各固定面の周囲に設けられた環状の溝と
を有する
表示装置。
【発明の詳細な説明】
【技術分野】
【０００１】
本技術は、液晶パネル等の電気光学パネルが、電気光学パネルを支持する台座部に固定された電気光学装置およびそれを備えた表示装置に関する。
【背景技術】
【０００２】
近年、オフィスだけでなく、家庭でも、スクリーンに映像を投影するプロジェクタが広く利用されている。プロジェクタは、光源からの光をライトバルブで変調することにより画像光を生成し、スクリーンに投射して表示を行うものである。ライトバルブは、液晶パネルで構成されており、各画素が外部からの映像信号に応じてアクティブマトリクス駆動されることにより、光を変調するようになっている（例えば、特許文献１参照）。
【０００３】
プロジェクタが家庭で普及するに伴い、プロジェクタの小型化、ひいてはプロジェクタの高精細化が進んでいる。３板方式のプロジェクタでは、ＲＧＢパネルそれぞれの固定位置がずれた場合には、色ずれが生じてしまう。特に、高精細パネルでは画素ピッチが小さくなるので、投射画面上では色ずれが視認されやすくなる。そのため、ＲＧＢパネルの位置合わせ精度の更なる向上が求められている。
【先行技術文献】
【特許文献】
【０００４】
【特許文献１】特開２００６−０７９１１８号公報
【発明の概要】
【発明が解決しようとする課題】
【０００５】
しかし、従来の方法では、ＲＧＢパネルと、ＲＧＢパネルを固定する支持部とを互いに接合する接着剤の膨張・収縮によって、ＲＧＢパネルが移動してしまい、色ずれが生じてしまうという問題があった。
【０００６】
本技術はかかる問題点に鑑みてなされたものであり、その目的は、色ずれが生じ難い電気光学装置および表示装置を提供することにある。
【課題を解決するための手段】
【０００７】
本技術の電気光学装置は、電気光学パネルと、電気光学パネルを支持するとともに電気光学パネルから発せられる熱を放散する支持部とを備えている。支持部は、接着層を介して電気光学パネルの下面に固定された複数の固定面と、各固定面の周囲に設けられた環状の溝とを有している。
【０００８】
本技術の表示装置は、照明光学系と、入力された映像信号に基づいて照明光学系からの光を変調することにより、画像光を生成する電気光学装置と、電気光学装置で生成された画像光を投射する投影光学系とを備えている。表示装置に内蔵された電気光学装置は、上記の電気光学装置と同一の構成要素を有している。
【０００９】
本技術の電気光学装置および表示装置では、接着層を介して電気光学パネルの下面に固定された各固定面の周囲には、環状の溝が設けられている。これにより、接着層を介した電気光学パネルと支持部との固定領域が、固定面の面積で規定されるので、例えば、接着層の分量が多すぎた場合であっても、接着層が溝の中に流れていき、溝の外にはみ出さない。
【発明の効果】
【００１０】
本技術の電気光学装置および表示装置によれば、例えば、接着層の分量が多すぎた場合であっても、接着層が溝の中に流れていき、溝の外にはみ出さないようにしたので、接着層が膨張・収縮したときに、電気光学パネルが平面方向に移動する量を小さくすることができる。その結果、色ずれを生じ難くすることができる。
【図面の簡単な説明】
【００１１】
【図１】本技術の一実施の形態に係る投射型表示装置の全体構成を示す図である。
【図２】図１の液晶ライトバルブの概略構成を示す図である。
【図３】図１の液晶ライトバルブの一部を展開したときの上面構成例、下面構成例および側面構成例を示す図である。
【図４】図３のＦＰＣを折り曲げたときの上面構成例、下面構成例および側面構成例を示す図である。
【図５】図４の液晶ライトバルブに台座部を設けたときの上面構成例および断面構成例を示す図である。
【図６】図５（Ｂ）の液晶ライトバルブを拡大したときの断面構成例を示す図である。
【図７】図５の台座部の平面構成例および断面構成例を示す図である。
【図８】図７の固定部の平面構成例および断面構成例を示す図である。
【図９】図３の液晶ライトバルブの一変形例を示す図である。
【発明を実施するための形態】
【００１２】
以下、実施の形態について、図面を参照して詳細に説明する。なお、説明は以下の順序で行う。
１．実施の形態
２．変形例
【００１３】
＜１．実施の形態＞
［構成］
図１は、本技術の一実施の形態に係る投射型表示装置１０の全体構成の一例を表したものである。投射型表示装置１０は、例えば、図示しない情報処理装置の画面に表示されている画像をスクリーン２０上に投影するものである。投射型表示装置１０は、反射型の液晶パネルをライトバルブとして使用した反射型液晶プロジェクタである。投射型表示装置１０は、例えば、赤、緑および青の各色用の液晶ライトバルブ２１Ｒ，２１Ｇ，２１Ｂを３枚用いてカラー画像表示を行う、いわゆる３板方式のものである。投射型表示装置１０は、例えば、光源１１と、ダイクロイックミラー１２，１３と、全反射ミラー１４とを備えている。投射型表示装置１０は、さらに、例えば、偏光ビームスプリッタ１５，１６，１７と、合成プリズム１８と、投射レンズ１９とを備えている。なお、光源１１、ダイクロイックミラー１２，１３、全反射ミラー１４、偏光ビームスプリッタ１５，１６，１７および合成プリズム１８からなる光学系が、「照明光学系」の一具体例に相当する。また、投射レンズ１９が、「投影光学系」の一具体例に相当する。
【００１４】
光源１１は、カラー画像表示に必要とされる、赤色光、青色光および緑色光を含んだ白色光を発するものであり、例えばハロゲンランプ、メタルハライドランプまたはキセノンランプなどにより構成されている。ダイクロイックミラー１２は、光源１１の光路ＡＸ上に配置されており、光源１１からの光を、青色光Ｂとその他の色光（赤色光Ｒ，緑色光Ｇ）とに分離する機能を有している。ダイクロイックミラー１３は、光源１１の光路ＡＸ上に配置されており、ダイクロイックミラー１２を通過した光を、赤色光Ｒと緑色光Ｇとに分離する機能を有している。全反射ミラー１４は、ダイクロイックミラー１２で反射された光の光路上に配置されており、ダイクロイックミラー１２によって分離された青色光Ｂを、偏光ビームスプリッタ１７に向けて反射するようになっている。
【００１５】
偏光ビームスプリッタ１５は、赤色光Ｒの光路上に配置されており、偏光分離面１５Ａにおいて、入射した赤色光Ｒを互いに直交する２つの偏光成分に分離する機能を有している。偏光ビームスプリッタ１６は、緑色光Ｇの光路上に配置されており、偏光分離面１６Ａにおいて、入射した緑色光Ｇを互いに直交する２つの偏光成分に分離する機能を有している。偏光ビームスプリッタ１７は、青色光Ｂの光路上に配置されており、偏光分離面１７Ａにおいて、入射した青色光Ｂを互いに直交する２つの偏光成分に分離する機能を有している。偏光分離面１５Ａ，１６Ａ，１７Ａは、一方の偏光成分（例えばＳ偏光成分）を反射し、他方の偏光成分（例えばＰ偏光成分）を透過するようになっている。
【００１６】
液晶ライトバルブ２１Ｒ，２１Ｇ，２１Ｂは、反射型の液晶パネルを含んで構成されたものであり、入力された映像信号に基づいて入射光を変調することにより、各色の映像光を生成するものである。なお、液晶ライトバルブ２１Ｒ，２１Ｇ，２１Ｂの構成については、後に詳述するものとする。液晶ライトバルブ２１Ｒは、偏光分離面１５Ａにおいて反射された赤色光Ｒの光路上に配置されている。液晶ライトバルブ２１Ｒは、例えば、赤色の映像信号に応じてパルス幅変調（ＰＷＭ）されたデジタル信号によって駆動され、それによって入射光を変調させると共に、その変調光を偏光ビームスプリッタ１５に向けて反射する機能を有している。液晶ライトバルブ２１Ｇは、偏光分離面１６Ａにおいて反射された緑色光Ｇの光路上に配置されている。液晶ライトバルブ２１Ｇは、例えば、緑色の映像信号に応じてパルス幅変調（ＰＷＭ）されたデジタル信号によって駆動され、それによって入射光を変調させると共に、その変調光を偏光ビームスプリッタ１６に向けて反射する機能を有している。液晶ライトバルブ２１Ｂは、偏光分離面１７Ａにおいて反射された青色光Ｂの光路上に配置されている。液晶ライトバルブ２１Ｂは、例えば、青色の映像信号に応じてパルス幅変調（ＰＷＭ）されたデジタル信号によって駆動され、それによって入射光を変調させると共に、その変調光を偏光ビームスプリッタ１７に向けて反射する機能を有している。
【００１７】
合成プリズム１８は、液晶ライトバルブ２１Ｒ，２１Ｇ，２１Ｂから出射され、偏光ビームスプリッタ１５，１６，１７を透過した各変調光の光路が互いに交差する位置に配置されている。合成プリズム１８は、各変調光を合成し、カラーの映像光を生成する機能を有している。投射レンズ１９は、合成プリズム１８から出射された映像光の光路上に配置されており、合成プリズム１８から出射された映像光を、スクリーン２０に向けて投射する機能を有している。
【００１８】
図２は、図１の液晶ライトバルブ２１Ｒ，２１Ｇ，２１Ｂの全体構成の一例を表したものである。液晶ライトバルブ２１Ｒ，２１Ｇ，２１Ｂは、例えば、パネル部２２と、パネル部２２に接続されたフレキシブルプリント基板（ＦＰＣ：Flexible printed circuits）２３（以下、ＦＰＣ２３と称する。）とを有している。パネル部２２は、例えば、複数の画素２５がマトリクス状に形成された画素領域２４と、データ線駆動回路２６と、走査線駆動回路２７とを有している。パネル部２２は、各画素２５がデータ線駆動回路２６および走査線駆動回路２７によってアクティブ駆動されることにより、外部から入力されたデジタル信号に基づく画像を表示するものである。
【００１９】
パネル部２２は、行方向に延在する複数の書込線ＷＳＬと、列方向に延在する複数の信号線ＤＴＬとを有している。信号線ＤＴＬと書込線ＷＳＬとの交差部分に対応して、画素２５が設けられている。各信号線ＤＴＬは、データ線駆動回路２６の出力端（図示せず）に接続されている。各書込線ＷＳＬは、走査線駆動回路２７の出力端（図示せず）に接続されている。
【００２０】
データ線駆動回路２６は、例えば、外部から供給される１水平ライン分のデジタル信号を、各画素２５に信号電圧として供給するものである。具体的には、データ線駆動回路２６は、例えば、１水平ライン分のデジタル信号を、走査線駆動回路２７により選択された１水平ラインを構成する各画素２５に、信号線ＤＴＬを介してそれぞれ供給するものである。
【００２１】
走査線駆動回路２７は、例えば、外部から供給される走査タイミング制御信号に応じて、駆動対象の画素２５を選択する機能を有している。具体的には、走査線駆動回路２７は、例えば、走査線ＷＳＬを介して、選択パルスを画素２５の選択回路（図示せず）に印加することにより、マトリックス状に形成されている画素２５のうちの１行を駆動対象として選択するようになっている。そして、これらの画素２５では、データ線駆動回路２６から供給される信号電圧に応じて、１水平ラインの表示がなされる。このようにして、走査線駆動回路２７は、例えば、時分割的に１水平ラインずつ順次走査を行い、画素領域全体にわたった表示を行うようになっている。
【００２２】
次に、液晶ライトバルブ２１Ｒ，２１Ｇ，２１Ｂの内部構成について説明する。図３（Ａ），（Ｂ）は、液晶ライトバルブ２１Ｒ，２１Ｇ，２１Ｂの一部を展開したときの平面構成例を表したものである。図３（Ａ）は、反射光の出射される面側（上面側）の平面構成例を表したものであり、図３（Ｂ）は、反射光の出射される面とは反対側（下面側）の平面構成例を表したものである。図３（Ｃ）は、側面構成例を表したものである。なお、液晶ライトバルブ２１Ｒ，２１Ｇ，２１Ｂが、「電気光学パネル」の一具体例に相当する。
【００２３】
液晶ライトバルブ２１Ｒ，２１Ｇ，２１Ｂは、例えば、液晶素子２および保護基板３を含むパネル部２２と、ＦＰＣ４，５を含むＦＰＣ２３とを有している。液晶素子２は、反射型の液晶パネルであり、図示しないが、画素電極としても機能する反射電極と、液晶層と、共通電極として機能する透明電極とを、当該液晶素子２の下面側から順に積層してなる積層体を有している。保護基板３は、液晶素子２を保護するものであり、例えば、可視光に対して透明な部材（例えばガラス基板）で構成されている。保護基板３は、液晶素子２の上面に貼り合わされている。保護基板３は、液晶素子２と非対向の部分（突出部）を有しており、液晶素子２よりも大きな面積の平面を有している。
【００２４】
ＦＰＣ４，５は、液晶素子２に対して、上述のデジタル信号や走査タイミング制御信号を供給するものである。ＦＰＣ４は、ＦＰＣ５よりも配線数の多いＦＰＣである。一方、ＦＰＣ５は、ＦＰＣ４よりも配線数の少ないＦＰＣである。ＦＰＣ４は、外部回路と接続する接続端子４Ａと、液晶素子２の一端と接続する接続端子４Ｂとを有している。ＦＰＣ５は、外部回路と接続する接続端子５Ａと、液晶素子２の他端（ＦＰＣ４が接続された端部とは反対側の端部）と接続する接続端子５Ｂとを有している。ＦＰＣ５は、液晶素子２の下面側に折り曲げたときに、ＦＰＣ５がＦＰＣ４の大半と重なり合うような形状となっていることが好ましい。ＦＰＣ５は、さらに、液晶素子２の下面側に折り曲げたときに、接続端子５Ａの面と接続端子４Ａの面とが互いに揃うような形状となっていることが好ましい。
【００２５】
ＦＰＣ５は、配線の形成されていない部位に開口部５Ｈを有している。開口部５Ｈは、例えば、図４（Ａ）〜（Ｃ）に示したように、ＦＰＣ５を、ＦＰＣ４との関係で、液晶素子２の下面側に折り曲げたときに、液晶素子２がＦＰＣ５で覆われないようにするためにＦＰＣ５に設けた穴である。従って、ＦＰＣ５を、ＦＰＣ４との関係で、液晶素子２の下面側に折り曲げたときに、液晶素子２の下面は、開口部５Ｈ内に露出しているか、または、開口部５Ｈよりも外側に突出している。
【００２６】
液晶ライトバルブ２１Ｒ，２１Ｇ，２１Ｂは、さらに、例えば、図５（Ａ）〜（Ｃ）に示したように、パネル部２２（具体的には保護基板３）を支持する台座部６と、液晶素子２から発せられる熱を放散するヒートシンク７とを有している。台座部６は、液晶素子２と対向する部分に開口６Ｈを有しており、保護基板３の突出部と対向する部分に、保護基板３を支持する支持面６Ａを有している。なお、台座部６についての説明は、後に詳述するものとする。ヒートシンク７は、台座部６の開口６Ｈの内部に設けられている。ヒートシンク７は、例えば、台座部６のうち開口６Ｈの内部に、接着剤（図示せず）で固定されており、液晶素子２の下面に接している。ヒートシンク７のうち、液晶素子２とは反対側の面は、放熱性を高める構造（例えば凹凸）を有していることが好ましい。
【００２７】
次に、ＦＰＣ４，５の内部構成について説明する。図６は、液晶ライトバルブ２１Ｒ，２１Ｇ，２１Ｂの断面構成例を表したものである。ＦＰＣ４は、例えば、液晶素子２に信号電位を与える信号電位層４１と、液晶素子２に基準電位（例えばグラウンド電位）を与える基準電位層４２とを、互いに絶縁した上で、積層した構造を有している。なお、信号電位層４１に与えられる信号電位とは、例えば、映像信号に対応したデジタル信号や走査タイミング制御信号の電位などを含んでいる。ここで、液晶素子２の光出射面側を上、液晶素子２の光出射面とは反対側を下と定義したときに、ＦＰＣ４は、例えば、信号電位層４１および基準電位層４２を、互いに絶縁した上で、下から上に向かって積層した構造を有している。信号電位層４１は、複数の帯状の配線で構成されている。信号電位層４１内の各配線は、接続端子４Ａから接続端子４Ｂへ向かって延在しており、互いに電気的に絶縁されている。
【００２８】
ＦＰＣ４は、さらに、例えば、信号電位層４１の下面側に配置された絶縁層４３と、信号電位層４１と基準電位層４２との間に配置された絶縁層４４と、基準電位層４２の上面側に配置された絶縁層４５とを有している。絶縁層４４が信号電位層４１と基準電位層４２とを互いに絶縁している。絶縁層４３が信号電位層４１内の各配線を互いに絶縁している。
【００２９】
ＦＰＣ５は、例えば、液晶素子２に基準電位（例えばグラウンド電位）を与える基準電位層５１と、液晶素子２に信号電位を与える信号電位層５２とを、互いに絶縁した上で、積層した構造を有している。なお、信号電位層５２に与えられる信号電位とは、例えば、映像信号に対応したデジタル信号や走査タイミング制御信号の電位などを含んでいる。ＦＰＣ５は、接続端子５Ｂから少し離れた部分に屈曲部５Ｃを有している。ＦＰＣ５のうち、屈曲部５Ｃとの関係で接続端子５Ａ側の部分（ＦＰＣ４と互いに重ね合わされている部分ａ）は、ＦＰＣ４との関係で液晶素子２の下面側に配置されている。ここで、ＦＰＣ５は、ＦＰＣ５のうち、屈曲部５Ｃとの関係で接続端子５Ｂ側の部分に、基準電位層５１および信号電位層５２の積層順を逆転させるコンタクト５６を有している。
【００３０】
コンタクト５６は、接続端子５Ｂにおいて液晶素子２の下面側に配置された導電層と、接続端子５Ｂから離れた部分において液晶素子２の上面側に配置された導電層とを互いに電気的に接続している。さらに、コンタクト５６は、接続端子５Ｂにおいて液晶素子２の上面側に配置された導電層と、接続端子５Ｂから離れた部分において液晶素子２の下面側に配置された導電層とを互いに電気的に接続している。ここで、液晶素子２の光出射面側を上、液晶素子２の光出射面とは反対側を下と定義すると、ＦＰＣ５のうち、コンタクト５６との関係で接続端子５Ｂ側の部分は、信号電位層５２および基準電位層５１を、互いに絶縁した上で、下から上に向かって積層した構造を有している。一方、ＦＰＣ５のうち、コンタクト５６との関係で接続端子５Ａ側の部分についても、信号電位層５２および基準電位層５１を、互いに絶縁した上で、下から上に向かって積層した構造を有している。従って、ＦＰＣ４，５のうち、互いに重ね合わされた部分（図中の重ね合わせ部分ａ）は、下から上に向かって、信号電位層５２、基準電位層５１、信号電位層４１、基準電位層４２の順に配置されている。
【００３１】
信号電位層５２は、複数の帯状の配線で構成されている。信号電位層５２内の各配線は、接続端子５Ａから接続端子５Ｂへ向かって延在しており、互いに電気的に絶縁されている。ＦＰＣ５は、さらに、例えば、信号電位層５２の外側に配置された絶縁層５５と、信号電位層５２と基準電位層５１との間に配置された絶縁層５４と、基準電位層５１の外側（ＦＰＣ４側）に配置された絶縁層５３とを有している。絶縁層５４が信号電位層５２と基準電位層５１とを互いに絶縁している。絶縁層５５が信号電位層５２内の各配線を互いに絶縁している。
【００３２】
次に、台座部６について詳細に説明する。図７（Ａ）は、台座部６の上面構成の一例を表したものである。図７（Ｂ）は、台座部６のＡ−Ａ矢視方向の断面構成の一例を、パネル部２２、ヒートシンク７およびＦＰＣ５と共に表したものである。台座部６は、接着層（図示せず）を介してパネル部２２を固定する複数の固定部８を有している。固定部８は、例えば、支持面６Ａに設けられており、接着層（図示せず）を介して、保護基板３の突出部の下面に接している。固定部８は、パネル部２２（具体的には保護基板３）の下面のうち四隅から離れた位置に、接着層を介して固定されていることが好ましい。
【００３３】
図８（Ａ）は、支持面６Ａの一部を拡大して表したものである。図８（Ｂ）は、図８（Ａ）のＡ−Ａ矢視方向の断面構成の一例を表したものである。図８（Ｃ）は、図８（Ａ）のＡ−Ａ矢視方向の断面構成の他の例を表したものである。固定部８は、接着層９を介してパネル部２２（具体的には保護基板３の突出部）の下面に固定された固定面８Ａと、固定面８Ａの周囲に設けられた環状の溝８Ｂとにより構成されている。固定面８Ａは、例えば、円形状となっている。なお、固定面８Ａは、円形状とは異なる形状となっていてもよい。固定面８Ａは、接着層９の膨張・収縮によりパネル部２２が平面方向にほとんど変位しない程度の面積を有している。溝８Ｂは、液晶ライトバルブ２１Ｒ，２１Ｇ，２１Ｂの組み立てにおいて、接着層９を介して、パネル部２２を台座部６に固定するときに、接着層９が固定面８Ａからはみ出さないようにするものである。例えば、接着層９の分量が多すぎた場合であっても、図８（Ｃ）のように、接着層９は、溝８Ｂの中に流れていき、固定部８の外にはみ出さない。これにより、接着層９が、パネル部２２の側面にまで回り込んで、パネル部２２の側面と、台座部６とが互いに接着されるのを防ぐことができる。
【００３４】
[動作]
本実施の形態の投射型表示装置１０では、光源１１から出射された白色光は、まず、ダイクロイックミラー１２によって青色光Ｂとその他の色光（赤色光Ｒおよび緑色光Ｇ）とに分離される。このうち青色光Ｂは、全反射ミラー１４によって、偏光ビームスプリッタ１７に向けて反射される。一方、赤色光Ｒおよび緑色光Ｇは、ダイクロイックミラー１３によって、さらに、赤色光Ｒと緑色光Ｇとに分離される。分離された赤色光Ｒは、偏光ビームスプリッタ１５に入射し、分離された緑色光Ｇは、偏光ビームスプリッタ１６に入射する。
【００３５】
偏光ビームスプリッタ１５，１６，１７において、入射した各色光は、偏光分離面１５Ａ，１６Ａ，１７Ａにおいて、互いに直交する２つの偏光成分に分離される。このとき、一方の偏光成分（例えばＳ偏光成分）が液晶ライトバルブ２１Ｒ，２１Ｇ，２１Ｂに向けて反射される。このとき、各液晶ライトバルブ２１Ｒ，２１Ｇ，２１Ｂは、各色の映像信号に応じてパルス幅変調（ＰＷＭ）されたデジタル信号によって駆動されているので、それによって各偏光光が画素２５ごとに変調されると共に、その変調光が偏光ビームスプリッタ１５，１６，１７を透過して、合成プリズム１８へ入射する。各変調光は、合成プリズム１８で合成され、それによって得られたカラーの映像光が投射レンズ１９によってスクリーン２０に投射される。このようにして、カラーの映像がスクリーン２０に表示される。
【００３６】
[効果]
次に、本実施の形態の投射型表示装置１０の効果について説明する。本実施の形態では、接着層９を介してパネル部２２の下面に固定された各固定面８Ａの周囲には、環状の溝８Ｂが設けられている。これにより、接着層９を介したパネル部２２と台座部６との固定領域が、固定面８Ａの面積で規定されるので、例えば、接着層９の分量が多すぎた場合であっても、接着層９が溝８Ｂの中に流れていき、溝８Ｂの外にはみ出さない。その結果、接着層９が膨張・収縮したときに、パネル部２２が平面方向に移動する量を小さくすることができるので、色ずれを生じ難くすることができる。
【００３７】
＜２．変形例＞
上記実施の形態では、固定部８は、支持面６Ａに設けられていたが、それ以外の箇所に設けられていてもよい。例えば、固定部８は、パネル部２２の最下面と接する箇所に設けられていてもよい。固定部８は、例えば、図９（Ａ），（Ｂ）に示したように、ヒートシンク７の上面に設けられている。固定部８は、パネル部２２の最下面（具体的には液晶素子２の下面）のうち四隅から離れた位置に、接着層９を介して固定されていることが好ましい。このようにした場合にも、接着層９を介したパネル部２２と台座部６との固定領域が、固定面８Ａの面積で規定されるので、例えば、接着層９の分量が多すぎた場合であっても、接着層９が溝８Ｂの中に流れていき、溝８Ｂの外にはみ出さない。その結果、接着層９が膨張・収縮したときに、パネル部２２が平面方向に移動する量を小さくすることができるので、色ずれを生じ難くすることができる。
【符号の説明】
【００３８】
１０…投射型表示装置、２…液晶素子、２Ａ…画素領域、３…保護基板、４，５…ＦＰＣ、４Ａ，４Ｂ，５Ａ，５Ｂ…接続端子、５Ｃ…屈曲部、５Ｈ…開口部、６…台座部、６Ａ…支持面、６Ｈ…開口、７…ヒートシンク、８…固定部、８Ａ…固定面、８Ｂ…溝、９…接着層、１１…光源、１２，１３…ダイクロイックミラー、１４…全反射ミラー、１５，１６，１７…偏光ビームスプリッタ、１５Ａ，１６Ａ，１７Ａ…偏光分離面、１８…合成プリズム、１９…投射レンズ、２０…スクリーン、２１Ｒ，２１Ｇ，２１Ｂ…液晶ライトバルブ、２２…パネル部、２３…ＦＰＣ、２４…画素領域、２５…画素、２６…データ線駆動回路、２７…走査線駆動回路、４１，５２…信号電位層、４２，５１…基準電位層、４３，４４，４５，５３，５４，５５…絶縁層、５６…コンタクト、ａ…重ね合わせ部分、ＡＸ…光路、Ｒ…赤色光、Ｇ…緑色光、Ｂ…青色光、ＤＴＬ…信号線、ＷＳＬ…走査線。
【図１】
2013068845.tif 000003
【図２】
2013068845.tif 000004
【図３】
2013068845.tif 000005
【図４】
2013068845.tif 000006
【図５】
2013068845.tif 000007
【図６】
2013068845.tif 000008
【図７】
2013068845.tif 000009
【図８】
2013068845.tif 000010
【図９】
2013068845.tif 000011